(57)【要約】      （修正有）【課題】外部から視認し難い状態で衣服に装着された場合においても、操作し易いコントロール装置を提供する。【解決手段】可撓性を有するクリップ４６と、クリップと対向する位置に備えられた押下式スイッチと、を備える。スイッチは制御部４の凹部内に形成され、クリップには、スイッチと対向する部分に凸部４６ｃが形成され、凸部は、クリップを貫通する溝部４６ａによって一方向を除いて囲まれた操作部４６ｂに形成されている。【選択図】図６
0003217435.tif 000002
【実用新案登録請求の範囲】
【請求項１】
可撓性を有するクリップと、
前記クリップと対向する位置に備えられた押下式スイッチと、
を備えることを特徴とするコントロール装置。
【請求項２】
前記クリップは、前記スイッチに対向する部分に、前記スイッチ側へと突出する凸部を備えることを特徴とする請求項１に記載のコントロール装置。
【請求項３】
前記凸部と対向する位置に、前記スイッチを収容する凹部を備えることを特徴とする請求項２に記載のコントロール装置。
【請求項４】
前記クリップは、前記スイッチと対向する部分に、前記クリップを貫通する溝部によって一方向を除いて囲まれた操作部を備えることを特徴とする請求項１から３のいずれか一項に記載のコントロール装置。
【請求項５】
服本体と、
前記服本体の内部に空気を導入する空気導入手段と、
前記空気導入手段に電力を供給する電源部と、
前記電源部に有線通信及び／又は無線通信により接続され、前記空気導入手段に供給される電力の制御を行う請求項１から４のいずれか一項に記載のコントロール装置と、
を備えることを特徴とする空調衣服。
【請求項６】
前記服本体は前身頃にポケットを備え、
前記コントロール装置は、前記クリップによって、前記ポケットに装着されていることを特徴とする請求項５に記載の空調衣服。
【請求項７】
前記服本体は前身頃に開口部を備え、
前記コントロール装置は、前記開口部を貫通するようにして、前記クリップによって、前記服本体に装着されていることを特徴とする請求項５に記載の空調衣服。
【考案の詳細な説明】
【技術分野】
【０００１】
本考案は、コントロール装置及び空調衣服に関するものである。
【背景技術】
【０００２】
電子機器等を使用者が身に着けて使用する場合、当該電子機器等の操作に用いるコントロール装置は、使用者が操作し易い位置に装着可能であることが望ましい。
そこで、クリップを用いて、使用者の衣服に装着可能としたコントロール装置が知られている（例えば、特許文献１及び２参照）。
【先行技術文献】
【特許文献】
【０００３】
【特許文献１】特開２００４−２４７９７５号公報
【特許文献２】特開平１１−４４７８９号公報
【考案の概要】
【考案が解決しようとする課題】
【０００４】
衣服の外観の観点からは、このようなコントロール装置は、例えば衣服のポケット内等に収納され、クリップを除いて外部から視認し難いように装着されることが好ましい。しかしながら、特許文献１及び２に記載のコントロール装置においては、外部から視認し難い状態で装着されることは想定されておらず、このような状態のままで操作を行うことは困難であった。
【０００５】
本考案の課題は、外部から視認し難い状態で装着された場合においても、操作し易いコントロール装置を提供することである。
【課題を解決するための手段】
【０００６】
上記課題を解決するため、請求項１に記載の考案は、コントロール装置において、
可撓性を有するクリップと、
前記クリップと対向する位置に備えられた押下式スイッチと、
を備えることを特徴とする。
【０００７】
請求項２に記載の考案は、請求項１に記載のコントロール装置において、
前記クリップは、前記スイッチに対向する部分に、前記スイッチ側へと突出する凸部を備えることを特徴とする。
【０００８】
請求項３に記載の考案は、請求項２に記載のコントロール装置において、
前記凸部と対向する位置に、前記スイッチを収容する凹部を備えることを特徴とする。
【０００９】
請求項４に記載の考案は、請求項１から３のいずれか一項に記載のコントロール装置において、
前記クリップは、前記スイッチと対向する部分に、前記クリップを貫通する溝部によって一方向を除いて囲まれた操作部を備えることを特徴とする。
【００１０】
請求項５に記載の考案は、空調衣服であって、
服本体と、
前記服本体の内部に空気を導入する空気導入手段と、
前記空気導入手段に電力を供給する電源部と、
前記電源部に有線通信及び／又は無線通信により接続され、前記空気導入手段に供給される電力の制御を行う請求項１から４のいずれか一項に記載のコントロール装置と、
を備えることを特徴とする。
【００１１】
請求項６に記載の考案は、請求項５に記載の空調衣服であって、
前記服本体は前身頃にポケットを備え、
前記コントロール装置は、前記クリップによって、前記ポケットに装着されていることを特徴とする。
【００１２】
請求項７に記載の考案は、請求項５に記載の空調衣服であって、
前記服本体は前身頃に開口部を備え、
前記コントロール装置は、前記開口部を貫通するようにして、前記クリップによって、前記服本体に装着されていることを特徴とする。
【考案の効果】
【００１３】
本考案によれば、外部から視認し難い状態で装着された場合においても、操作し易いコントロール装置を提供することができる。
【図面の簡単な説明】
【００１４】
【図１】第１実施形態に係る空調衣服の開閉手段を閉じた状態における正面図（ａ）及び背面図（ｂ）である。
【図２】第１実施形態に係る空調衣服の開閉手段を開いた状態における正面図である。
【図３】第１実施形態に係る空調衣服の電気系統の接続状態を示す模式図である。
【図４】図１（ａ）のIV-IV部における断面図である。
【図５】第１実施形態に係る空調衣服のファンを示す図である。
【図６】第１実施形態に係る空調衣服の制御部の背面図（ａ）、平面図（ｂ）、正面図（ｃ）及び側面図（ｄ）である。
【図７】第１実施形態に係る空調衣服の空気の流れを示す図であり、（ａ）は正面図、（ｂ）は背面図である。
【図８】第２実施形態に係る空調衣服の開閉手段を開いた状態における正面図である。
【図９】第２実施形態に係る空調衣服の電気系統の接続状態を示す模式図である。
【図１０】第３実施形態に係る空調衣服の開閉手段を開いた状態における正面図である。
【図１１】第３実施形態に係る空調衣服の電気系統の接続状態を示す模式図である。
【図１２】変形例１に係る空調衣服の前身頃開口部及び覆い布を示す正面図である。なお、破線は縫い目を表し、点線は覆い布の後方の前身頃開口部を表す。
【図１３】変形例１に係る空調衣服の正面図である。
【図１４】図１３のXIV-XIV部における断面図である。
【図１５】変形例１に係る空調衣服の制御部の正面図（ａ）及び側面図（ｂ）である。
【図１６】制御部として制御部４Ｃを用いた場合の、図１３のXVI-XVI部における断面図である。
【考案を実施するための形態】
【００１５】
以下、本考案の実施形態であるコントロール装置について、空調衣服における制御部として用いられる場合を例として、図１から図１６に基づいて説明する。ただし、本発明の技術的範囲は図示例に限定されない。
なお、以下においては、図１に示すように、着用者が空調衣服を着用した状態を基準として、着用者の前側を前、着用者の後側を後、着用者の上側を上、着用者の下側を下、着用者の右手側を右、着用者の左手側を左と定めて説明する。
【００１６】
［第１実施形態］
第１実施形態に係る空調衣服１００について、図１から図７に基づいて説明する。
【００１７】
｛実施形態の構成｝
第１実施形態に係る空調衣服１００は、図１から図３に示すように、服本体１と、服本体１内部に空気を導入するファン２，２と、ファン２，２に電力を供給する電源部３と、空調衣服１００の制御を行う制御部４と、電源部３と制御部４とを接続する電源部・制御部接続ケーブル５と、ファン２，２と制御部４とを接続する制御部・ファン接続ケーブル６と、を備える。
【００１８】
（服本体）
服本体１は、図１及び図２に示すように、服地部１１と、開閉手段１２と、裾部空気漏れ防止手段１３と、制御部収納ポケット１４と、電源部収納ポケット１５と、開口孔補強部材１６，１６と、を備える。
【００１９】
（服地部）
服地部１１は、図１及び図２に示すように、通気性のないシート状部材又はファン２、２による空気の導入によって膨らませることができる程度の通気性を有するシート状部材によって、着用者の胴部及び腕部を覆う形状に形成されている。本実施形態では、服地部１１をブルゾン型の上衣の形状に形成しているが、服地部１１の形状はこれに限られず、例えば着用者の胴部のみを覆うベスト型に形成してもよい。
服地部１１には、２つの開口孔１１１、１１１と、襟部空気排出部１１２と、袖部空気排出部１１３、１１３と、前身頃開口部１１４と、が形成されている。
【００２０】
開口孔１１１、１１１は、図１に示すように、服地部１１の着用者の腰の左右に対応する位置に形成された、空調衣服１００の着用時において、外部と、服地部１１と着用者の身体ＢＤとの間の空間と、を繋ぐこととなる孔部である。２つの開口孔１１１，１１１は、略同一の高さに形成されている。そして、開口孔１１１，１１１にはファン２，２が取り付けられる。
なお、開口孔１１１，１１１が形成される位置としては、上記の位置に限られず、服地部１１の側面、前面等に形成することも可能である。また、開口孔１１１が形成される個数は、２か所に限られず、これより少数又は多数の開口孔１１１を形成し、これに対応した数のファン２を備えてもよい。
【００２１】
襟部空気排出部１１２は、ファン２、２によって開口孔１１１，１１１から導入された空気を着用者の身体又は下着に沿って流通させた後に排出するため、着用者の首と服地部１１の襟部の端部との間に形成された開口部である。
【００２２】
袖部空気排出部１１３、１１３は、ファン２、２によって開口孔１１１、１１１から導入された空気を着用者の身体又は下着に沿って流通させた後に排出するため、着用者の腕と服地部１１の袖部の端部との間に形成された開口部である。
【００２３】
前身頃開口部１１４は、図２に示すように、服地部１１の前身頃に設けられた、空調衣服１００の着用時において、外部と、服地部１１と着用者の身体ＢＤとの間の空間と、を繋ぐこととなる孔部であり、図１（ａ）に示すように、服地部１１の外側から制御部収納ポケット１４によって覆われている。
【００２４】
図１及び図２においては、前身頃開口部１１４及びこれを覆う制御部収納ポケット１４が着用者の胸部の開閉手段１２近傍の左側に設けられた場合について図示したが、前身頃開口部１１４及びこれを覆う制御部収納ポケット１４が備えられる位置はこれに限られず、前身頃の任意の位置に備えることが可能である。
また、図２においては、前身頃開口部１１４を略四角形状に形成した場合について図示したが、前身頃開口部１１４は、制御部収納ポケット１４によって覆うことができ、かつ十分な空気の流通路を確保することができれば、任意の形状及び大きさを採用可能である。ただし、制御部４が服本体１内に落下しない程度の大きさに形成されることが望ましい。
【００２５】
（開閉手段）
開閉手段１２は、図１及び図２に示すように、服地部１１の前部に備えられ、空調衣服１００を着用する際に、服本体１の前部を開閉するためのものである。開閉手段１２としては、例えば、線ファスナー等が用いられる。
【００２６】
（裾部空気漏れ防止手段）
裾部空気漏れ防止手段１３は、図１及び図２に示すように、服地部１１下部に備えられた、服地部１１と着用者の身体ＢＤとの間の空間内の空気が服地部１１の裾部から外部に漏れることを防止するための部材であり、例えば、服地部１１の下部の端部付近に、ゴム紐等の伸縮性のある部材を、着用者の身体を周回するように備えることによって形成される。空調衣服１００の着用時においては、裾部空気漏れ防止手段１３によって、服地部１１の裾部が絞り込まれて着用者の身体ＢＤに密着し、服地部１１下部から空気が外部に漏れることを防止することができる。
【００２７】
（制御部収納ポケット）
制御部収納ポケット１４は、図１及び図４に示すように、服地部１１の前身頃の表面側に、前身頃開口部１１４を覆うように形成されたポケットであり、制御部４が収納される。
制御部収納ポケット１４は、シート状の部材を左右及び下部において服地部１１に縫合等の方法によって固定することによって形成され、上部に開口部が形成されている。
【００２８】
（電源部収納ポケット）
電源部収納ポケット１５は、図２に示すように、服地部１１の裏面側に形成されたポケットであり、電源部３が収納される。図２においては、電源部収納ポケット１５が、前身頃の前身頃開口部１１４の下方の位置に備えられた場合について図示したが、これに限られず、服地部１１裏面側の任意の位置に備えることが可能である。
なお、電源部３を服本体１に保持するための手段としては、必ずしもポケットを用いる必要はなく、電源部３を服本体１に着脱自在に保持することが可能であれば、任意の構成を使用することができる。また、例えばズボンのベルトに電源部３を取り付ける等の構成により、電源部３が服本体１に保持されないようにすることも可能である。
【００２９】
（開口孔補強部材）
開口孔補強部材１６，１６は、例えばプラスチック等によって形成された扁平な環状の部材であり、中心に開口孔１１１，１１１と大きさが略一致する孔部１６１，１６１を有する。図２に示すように、開口孔補強部材１６，１６は、開口孔１１１，１１１に孔部１６１，１６１が重なるように、服地部１１の裏面側に取り付けられる。これによって、服地部１１の開口孔１１１，１１１周辺が補強され、ファン２，２を開口孔１１１，１１１に取り付けることが可能となる。
開口孔補強部材１６，１６の服地部１１，１１への取り付けには、縫合、接着等任意の方法を用いることができ、また、開口孔補強部材１６，１６を裏面側から覆う裏地が備えられていてもよい。
【００３０】
（ファン）
ファン２，２は、図１及び図２に示すように、開口孔１１１，１１１に取り付けられ、開口孔１１１，１１１を通して、服地部１１と着用者の身体ＢＤとの間の空間に空気を導入するためのものである。すなわち、ファン２，２が本発明における空気導入手段として機能する。
ファン２，２には、電源部３より、電源部・制御部接続ケーブル５と、制御部４と、制御部・ファン接続ケーブル６と、を通じて必要な電力が供給される。
【００３１】
ファン２，２は、図５に示すように、ファン本体２１と、これを服本体１に固定するためのリング状の取付けリング２２と、を備える。
【００３２】
ファン本体２１は、内部にプロペラ（不図示）とプロペラを回転させるモーター（不図示）とを収納し、図５に示すように、ファン２、２の使用時において空気が取り込まれる側を構成する空気取込部２１１と、ファン２、２の使用時において空気が送出される側を構成する空気送出部２１２と、空気取込部２１１と空気送出部２１２の間の筒状の連結部である筒状部２１３と、筒状部２１３の空気取込部２１１側の端部から筒状部２１３の側面と略垂直な方向に突出するフランジ部２１４とを有する。筒状部２１３は、その中心軸に垂直な平面で切った際の断面の外形が円形となる円筒状に形成され、その外径は、開口孔１１１，１１１の内径と同一か極僅かに小さくなるように形成されている。
【００３３】
また、ファン本体２１は、空気送出部２１２側の所定の位置に、制御部・ファン接続ケーブル６と接続されるファン接続端子２１５を有する。ファン接続端子２１５は制御部・ファン接続ケーブル６に対応した端子である必要があり、本実施形態においては、２芯端子が用いられている。
【００３４】
取付けリング２２は、ファン本体２１を服地部１１の開口孔１１１に取り付けるためのリング状の部材であり、その内径が筒状部２１３の外形と同一か、極僅かに大きくなるように形成されている。
【００３５】
筒状部２１３の外面と、取付けリング２２の内面とには、例えば、取付けリング２２の内面側に凸部が形成され、筒状部２１３の外面側に当該凸部と係合する凹部を形成することにより、係止手段（不図示）が形成されている。
【００３６】
ファン２，２を服本体１に取り付ける際には、図５に示すように、ファン本体２１の空気送出部２１２側を、開口孔１１１に服地部１１の外面側から挿入して、フランジ部２１４が、服地部１１の開口孔１１１周囲の部分と接するようにする。次に、取付けリング２２を、服地部１１の内面側から筒状部２１３の外側に差し込むことにより、フランジ部２１４と取付けリング２２とによって、服地部１１の開口孔１１１周囲の部分及び開口孔補強部材１６の孔部１６１周囲の部分を挟み込み、その状態で係止手段によって取付けリング２２をファン本体２１に固定する。
これによって、ファン２を服本体１に固定することができる。
【００３７】
（電源部）
電源部３は、ファン２，２及び制御部４に電力を供給するための装置であり、例えば、安全保護回路が付加されたリチウムイオン組電池が内蔵され、図３に示すように、電源部・制御部接続ケーブル５を通じて制御部４と接続するための、電源部第１接続端子３１を備える。
電源部第１接続端子３１は電源部・制御部接続ケーブル５に対応した端子である必要があり、本実施形態においては、２芯端子が用いられている。
また、図２に示したように、本実施形態においては、電源部３は、電源部収納ポケット１５に収納されているが、上記のように電源部３を保持するための手段はこれに限られない。
【００３８】
（制御部）
制御部４は、空調衣服１００の制御を行うための装置であり、電源部３等と一体的に形成されることなく、独立して備えられている。そして、本実施形態においては、制御部４として、本考案に係るコントロール装置が用いられる。
【００３９】
制御部４には、電源部３から供給された電力を複数段階の強度でファンに供給する電力変換回路（不図示）と、電源部３の電池の残量を測定する残量測定回路（不図示）と、電力変換回路に強度を指示する強度指示回路（不図示）と、が内蔵されている。
【００４０】
制御部４は、図４及び図６に示すように、上面に複数のＬＥＤからなる表示手段４１を備え、前面にスイッチ４２と、クリップ４６と、を備え、後面下部に、制御部第１接続端子４３と、制御部第２接続端子４４と、を備える。また、図４に示すように、スイッチ４２は、制御部４前面に形成された凹部４７内に形成されている。
【００４１】
制御部４の外形は、図６に示すように、左右方向と比較して上下方向に長く、前後方向と比較して左右方向に長い略直方体状に形成され、後面側の左右方向両端部には、後方に向けて延出する壁部である空間確保手段４５，４５が形成されている。
制御部４の外形は、上記のように上下方向の幅が左右方向の幅よりも広く、左右方向の幅が前後方向の幅よりも広くなるように形成されていることが、ポケット等への収納性の観点から望ましい。
【００４２】
（表示手段）
表示手段４１は、例えば、制御部４上面に備えられた複数（図６（ｂ）においては４つ）のＬＥＤからなり、空調衣服１００の着用者のスイッチ４２による操作に応じて、電池の残量、ファンに供給する電力の強度、回路の異常等についての表示を行う。
なお、表示手段４１の位置及び表示方法は図示したものに限られず、空調衣服１００の着用者が、制御部４を制御部収納ポケット１４に収納した状態のままで視認可能であれば、任意の位置及び表示方法を選択可能である。
【００４３】
（スイッチ）
スイッチ４２は、例えばタクタイルスイッチからなり、図４に示すように、凹部４７内に形成され、空調衣服１００の電源のオン／オフの切り替え、ファン２，２に供給する電力の強度の切り替え等の操作に使用される。
具体的には、例えば、スイッチ４２を長押しすると電源が入り、電源が入った状態では、これを、一度押すと表示手段４１の表示がファン２，２に供給する電力の強度の表示に切り替わり、更に押すとファン２，２に供給する電力の強度が切り替わり、長押しすると電源が切れるように構成される。
また、これに対応して、表示手段４１は、例えば、電源が入った状態では通常は電池の残量が表示され、スイッチ４２を押すとファン２，２に供給する電力の強度の表示に切り替わり、操作から数秒が経過すると電池の残量の表示に切り替わるように構成される。表示手段４１の表示は必ずしも常時表示されている必要はなく、スイッチ４２の操作によって短時間のみ表示されるようにしてもよい。これによって、電源部のバッテリーの減少を抑制することができる。
【００４４】
なお、スイッチ４２は、タクタイルスイッチには限られず、前方から押圧することによって、上記のような操作を行うことができる押下式スイッチであれば、任意の構成を採用可能である。
【００４５】
（凹部）
凹部４７は、図４に示すように、制御部４前面において、上下方向において中央より上部であり、左右方向において中央に位置する部分に形成され、正面視において、内部にスイッチ４２を形成できる大きさを有する。また、図４及び図６（ｄ）に示すように、スイッチ４２が側面視において制御部４の前面側に露出しない深さを有するか、少なくとも、スイッチ４２が制御部４の前面と面一になるまで押し込まれてもスイッチ４２の遊びの範囲内であり、これが操作されない深さを有することが好ましい。これによって、スイッチ４２が、クリップ４６の凸部４６ｃによって押圧された場合以外操作され難くなり、誤作動を防止できる。
【００４６】
（クリップ）
クリップ４６は、図４及び図６に示すように、制御部４の前面上部であり、左右方向中央部に位置する部分備えられ、これを用いて、図１（ａ）及び図４に示すように制御部収納ポケット１４の上部を挟むことによって、制御部４を服本体１に固定することができるように構成されている。
クリップ４６には、溝部４６ａと、操作部４６ｂと、凸部４６ｃと、固定用突起４６ｄと、が形成されている。
なお、クリップ４６は、後述のようにこれを押圧することによってスイッチ４２を操作するため、一定の可撓性を有し、空調衣服１００の着用者が押圧することによって、これを変形させることができる必要がある。
【００４７】
溝部４６ａは、図６（ｃ）に示すように、クリップ４６の上端部近傍から下方へと延在するＵ字状に形成された、前後方向にクリップ４６を貫通する部分である。
溝部４６ａは、クリップ４６のスイッチ４２と対向する部分よりも下方まで延在し、溝部４６ａによって囲まれた部分が、操作部４６ｂとして、スイッチ４２と対向するように形成されている。
【００４８】
凸部４６ｃは、図４及び図６（ｄ）に示すように、クリップ４６後面側の、溝部４６ａによって囲まれた操作部４６ｂに形成された後方へと突出する部分であり、スイッチ４２に対向する位置に形成されている。
【００４９】
また、凸部４６ｃは、クリップ４６に前面から力が加えられていない状態においては、図４及び図６（ｄ）に示すように、側面視において、制御部４の本体との間に間隙が形成され、前面側から操作部４６ｂが押圧された際には、凸部４６ｃが、凹部４７内に入り込み、スイッチ４２を押圧するように形成されている。
【００５０】
固定用突起４６ｄは、図４及び図６（ｄ）に示すように、クリップ４６の、溝部４６ａの下端よりも下方に形成された後方へと突出する突起であり、凸部４６ｃと比較して後方へと大きく突出するように形成されている。図４に示すように、固定用突起４６ｄと、制御部４の本体との間に制御部収納ポケット１４を挟むことによって、制御部４が制御部収納ポケット１４に固定される。
【００５１】
なお、制御部４の固定強度は低下するものの、固定用突起４６ｄを備えない構成とすることも可能である。
また、操作の容易性及び制御部４の固定強度は低下するものの、溝部４６ａ及び固定用突起４６ｄを備えず、クリップ４６全体を押圧することで、スイッチ４２を操作するように構成することも可能である。
また、誤作動の可能性は高まるものの、凸部４６ｃ、固定用突起４６ｄ及び凹部４７を備えず、制御部４から前方に突出するように形成されたスイッチ４２が、クリップ４６の平坦な部分によって押圧されるようにすることも可能である。
【００５２】
（接続端子）
制御部４の後面側には、図６（ａ）及び（ｂ）に示すように、電源部・制御部接続ケーブル５と接続するための端子である制御部第１接続端子４３と、制御部・ファン接続ケーブル６と接続するための端子である制御部第２接続端子４４と、が備えられている。
【００５３】
制御部第１接続端子４３は電源部・制御部接続ケーブル５に対応した端子である必要があり、本実施形態においては、２芯端子が用いられている。また、制御部第２接続端子４４は、制御部・ファン接続ケーブル６に対応した端子である必要があり、本実施形態においては、２芯端子が用いられている。
なお、制御部第１接続端子４３と、制御部第２接続端子４４とは、差し間違い防止のため、異なる形状の端子とすることが望ましい。
【００５４】
（空間確保手段）
制御部４の後面側の左右方向両端部には、図４及び図６（ａ）、（ｂ）及び（ｄ）に示すように、後方に向けて延出する壁面状の空間確保手段４５，４５が備えられている。空間確保手段４５，４５は、制御部４を制御部収納ポケット１４に収納した状態において、前身頃開口部１１４と制御部収納ポケット１４の外部の空間との間の空気の流通路を確保するためのものである。
なお、空間確保手段４５，４５の形状は、図示したものに限られず、制御部４後面側に間隙を生じさせ、前身頃開口部１１４と外部空間との間に空気の流通路を形成させることができるものであれば、任意の形状を使用可能である。
【００５５】
なお、空調衣服１００を着用して行う作業内容によっては、前身頃開口部１１４から排出される空気が作業の妨げとなる場合がある。したがって、必要に応じて前身頃開口部１１４からの空気の排出を止めることができる空気漏れ防止手段が備えられることが望ましい。
空気漏れ防止手段としては、例えば、制御部４に、空間確保手段４５，４５の間の空気流通路を埋めるための、スポンジ等で形成された開閉自在の蓋を備えることができる。
【００５６】
図４に示すように、制御部４は、制御部収納ポケット１４に、表示手段４１が備えられた上面側が、制御部収納ポケット１４上部の開口部を向き、空間確保手段４５，４５が備えられた後面側が着用者の身体ＢＤ側を向くようにして、制御部４の本体が制御部収納ポケット１４内に収納された状態で、クリップ４６を用いて固定される。
また、制御部４には、前身頃開口部１１４を通じて、制御部第１接続端子４３に電源部・制御部接続ケーブル５が接続され、制御部第２接続端子４４に制御部・ファン接続ケーブル６が接続される。
【００５７】
（電源部・制御部接続ケーブル）
電源部・制御部接続ケーブル５は、電源部３と制御部４とを接続するケーブルであり、２芯ケーブルが用いられる。電源部・制御部接続ケーブル５を通じて、電源部３から制御部４に対して、制御部４及びファン２，２の稼働に必要な電力が供給されると共に、電池残量に関する情報が送信される。
【００５８】
電源部・制御部接続ケーブル５は、図３に示すように、一方の端部に、電源部第１接続端子３１と接続するための２芯端子である電源部・制御部接続ケーブル第１接続端子５１を有し、他方の端部に、制御部第１接続端子４３と接続するための２芯端子である電源部・制御部接続ケーブル第２接続端子５２を有し、図２に示すように、前身頃開口部１１４を通って、電源部３の電源部第１接続端子３１と、制御部４の制御部第１接続端子４３と、を接続する。
なお、電源部・制御部接続ケーブル５としては、２芯ケーブルに限られず、上記の機能を果たすことが可能であれば、任意のケーブルを使用可能である。この場合、電源部第１接続端子３１及び制御部第１接続端子４３についても、これに対応した端子とする必要がある。
【００５９】
（制御部・ファン接続ケーブル）
制御部・ファン接続ケーブル６は、制御部４とファン２，２とを接続するケーブルであり、２芯ケーブルが用いられる。制御部・ファン接続ケーブル６を通じて、制御部４からファン２，２に対して、ファン２，２の稼働に必要な電力が供給される。
【００６０】
制御部・ファン接続ケーブル６は、図３に示すように、一方の端部に、制御部第２接続端子４４と接続するための２芯端子である制御部・ファン接続ケーブル第１接続端子６１を有し、他方の端部は二股に枝分かれし、夫々の端部に、ファン接続端子２１５，２１５と接続するための２芯端子である制御部・ファン接続ケーブル第２接続端子６２，６２を有し、図２に示すように、前身頃開口部１１４を通って、制御部４の制御部第２接続端子４４と、ファン２，２のファン接続端子２１５，２１５とを接続する。
なお、制御部・ファン接続ケーブル６としては、２芯ケーブルに限られず、上記の機能を果たすことが可能であれば、任意のケーブルを使用可能である。この場合、制御部第２接続端子４４及びファン接続端子２１５，２１５についても、これに対応した端子とする必要がある。
【００６１】
なお、電源部・制御部接続ケーブル５と、制御部・ファン接続ケーブル６とは、制御部４と接続される側の端部近傍において一体化し、単一のケーブルとなっていてもよい。この場合、電源部・制御部接続ケーブル第２接続端子５２と、制御部・ファン接続ケーブル第１接続端子６１とも一体化し、単一の端子として形成される。
また、この場合、制御部４の制御部第１接続端子４３及び制御部第２接続端子４４も、これらが一体化された単一の端子として形成されている必要がある。
【００６２】
｛制御部の着脱方法｝
制御部４は、以下の手順を経て、服本体１に取り付けられる。
（１）  制御部収納ポケット１４に制御部４を入れ、空間確保手段４５，４５が備えられた面が着用者の身体ＢＤ側を向き、また、表示手段４１が備えられた面が、制御部収納ポケット１４上部の開口部を向くように、クリップ４６を用いて制御部４を制御部収納ポケット１４に取り付ける。
（２）  ファン２，２のファン接続端子２１５，２１５と、制御部・ファン接続ケーブル６の制御部・ファン接続ケーブル第２接続端子６２，６２とを接続する。
（３）  電源部３の電源部第１接続端子３１と、電源部・制御部接続ケーブル５の電源部・制御部接続ケーブル第１接続端子５１とを接続する。
（４）  制御部４の制御部第２接続端子４４と、制御部・ファン接続ケーブル６の制御部・ファン接続ケーブル第１接続端子６１とを接続する。
（５）  制御部４の制御部第１接続端子４３と、電源部・制御部接続ケーブル５の電源部・制御部接続ケーブル第２接続端子５２とを接続する。
なお、制御部４の取り外しの際には、上記の逆の手順によって行えばよい。
【００６３】
｛実施形態の効果｝
本実施形態によれば、制御部４が制御部収納ポケット１４に収納され、クリップ４６を用いて、制御部収納ポケット１４に固定されている。また、制御部４には、クリップ４６と対向する位置に、スイッチ４２が備えられている。したがって、前面側からクリップ４６を押圧し、これを後方へと変形させることによって、制御部４を制御部収納ポケット１４に収納したままで、スイッチ４２を操作することができる。
これによって、制御部収納ポケット１４内に、クリップ４６を除いて外部から視認し難い状態で制御部４が収納された状態のままでも、容易にスイッチ４２を操作することが可能となる。
【００６４】
また、クリップ４６に、スイッチ４２と対向する部分を、上側を除いて囲むように溝部４６ａが形成されていることによって、溝部４６ａに囲まれた操作部４６ｂを、クリップ４６の他の部分と独立して動かすことができる。これによって、クリップ４６全体を変形させることなく、溝部４６ａによって囲まれた操作部４６ｂのみを後方へと変形させることによって、スイッチ４２を操作できることから、クリップ４６を介してのスイッチ４２の操作がさらに容易となる。
【００６５】
また、クリップ４６のスイッチ４２と対向する位置に、凸部４６ｃが形成されていることによって、クリップ４６を大きく変形させずともスイッチ４２を操作することが可能となる。これによって、クリップ４６を介してのスイッチ４２の操作がさらに容易となる。
【００６６】
また、スイッチ４２が凹部４７内に形成され、これが凸部４６ｃによって押圧されるように構成されていることによって、スイッチ４２の誤作動を防止することができる。
【００６７】
また、表示手段４１が、制御部収納ポケット１４上部の開口部を向くように形成されているため、着用者は視線を下に向けるのみで、空調衣服１００の使用中には電池の残量を確認でき、また、スイッチ４２を用いてファン２，２に供給する電力の強度を切り替える際には、電力強度の表示を確認することができる。
【００６８】
また、制御部４を制御部収納ポケット１４から取り出す際には、これと接続された各ケーブルが引っ張られることとなるため、ケーブルや接続端子に負担が掛かるが、本実施形態によれば、空調衣服１００の着用中に制御部４を取り出すことなく、スイッチ４２を操作することができるため、ケーブルや接続端子に掛かる負担を軽減でき、その使用可能期間を延ばすことが出来る。
【００６９】
また、服地部１１の前身頃には、前身頃開口部１１４が備えられており、また、制御部４の後面側には空間確保手段４５，４５が備えられているため、制御部収納ポケット１４に制御部４を収納した状態においても、服地部１１の前身頃に、前身頃開口部１１４及び空間確保手段４５，４５の間の空間を介した一定の空気の流通路が確保される。
これによって、空調衣服１００の使用中は、ファン２，２が外気を取り込み服本体１の内部が陽圧となっているため、当該流通路を介して、常に服本体１内部から外部に空気が排出されることなる。
したがって、前身頃開口部１１４が、前身頃における空気抵抗の安定した空気排出部として機能することとなり、図７に示すように空気が流通し、着用者の腹部付近を効率よく冷却することができる。
【００７０】
また、制御部収納ポケット１４によって前身頃開口部１１４が覆われるため、前身頃開口部１１４によって空調衣服１００の外観を悪化させることがない。また、簡易な構造で前身頃に空気の流通路を形成することができるため、製造コストを大きく増加させてしまうこともない。
【００７１】
また、制御部が電源部と一体的に形成された場合と異なり、本実施形態によれば、表示手段４１の表示を確認する際や、スイッチ４２の操作を行う際に、逐一電源部を取り出す必要がなくなり、表示の確認や操作の際の煩わしさを解消することができると共に、操作中に誤って電源部を落下させてしまうことも防止できる。
【００７２】
また、制御部が電源部と一体的に形成されている場合、機器が破損した際等には、これを一括して交換するしかないが、本実施形態によれば、制御部と電源部とが別個に形成されているため、夫々を個別に交換することが可能となり、機器を交換する際に要する費用を低減することができる。さらに、電源部３のみを容易に交換することができることから、用途に応じて、必要な容量の電源部３を選択的に使用することが可能となる。
また、電源部３と、制御部４とが独立しているため、電源部３の取り出し易さを考慮する必要がなくなり、任意の位置に電源部３を備えることが可能となる。これによって、例えば、大容量で重い電源部３を使用する場合には、電源部３をベルトクリップでズボンのベルトに取り付けることによって、重量の負担を軽減することができる。
【００７３】
また、電源部３と制御部４とを切り離すことによって、待機電力がなくなり、追加の充電を行うことなく、空調衣服１００を使用可能な状態で長期間保存しておくことが可能となる。
【００７４】
［第２実施形態］
第２実施形態に係る空調衣服１００Ａについて、図８及び図９に基づいて説明する。なお、第１実施形態に係る空調衣服１００と同一の部分については、同一の符号を付して説明を省略する。
【００７５】
｛実施形態の構成｝
第２実施形態に係る空調衣服１００Ａは、図９に示すように、ファン２，２と電源部３Ａとを直接接続したものである。
【００７６】
（電源部）
電源部３Ａは、電力変換回路を備える。すなわち、第１実施形態に係る空調衣服１００においては制御部４に備えられていた電力変換回路が、第２実施形態に係る空調衣服１００Ａにおいては、電源部３Ａに備えられている。
また、電源部３Ａは、ファン２，２との接続に用いられる２芯端子である電源部第２接続端子３２を有する。
また、制御部４Ａとの接続に用いられる電源部第１接続端子３１Ａは、後述のように多芯ケーブルである電源部・制御部接続ケーブル５Ａに対応した多芯端子となっている。
なお、電源部第１接続端子３１Ａと、電源部第２接続端子３２とは、差し間違い防止のため、異なる形状の端子とすることが望ましい。
その余の構成は第１実施形態にかかる電源部３と同様である。
【００７７】
（制御部）
制御部４Ａは、図９に示すように、第１実施形態に係る制御部４と異なり、ファン２，２と接続されない。したがって、ファン２，２との接続に用いられる制御部第２接続端子４４は備えられていない。
また、本実施形態においては、電力変換回路は電源部３Ａに備えられるため、制御部４Ａには備えられていない。
また、電源部３Ａとの接続に用いられる制御部第１接続端子４３Ａは、後述のように多芯ケーブルである電源部・制御部接続ケーブル５Ａに対応した多芯端子となっている。
その余の構成は第１実施形態にかかる制御部４と同様である。
【００７８】
（電源部・制御部接続ケーブル）
電源部・制御部接続ケーブル５Ａは、電源部３Ａと制御部４Ａとを接続するケーブルであり、多芯ケーブルが用いられる。電源部・制御部接続ケーブル５Ａを通じて、制御部４Ａに備えられた強度指示回路の指示が電源部３Ａに備えられた電力変換回路に送信され、また、電源部３Ａから制御部４Ａに対し、制御部４Ａの稼働に必要な電力が供給されると共に、電池残量に関する情報が送信される。
【００７９】
電源部・制御部接続ケーブル５Ａは、図９に示すように、一方の端部に、電源部第１接続端子３１Ａと接続するための多芯端子である電源部・制御部接続ケーブル第１接続端子５１Ａを有し、他方の端部に、制御部第１接続端子４３Ａと接続するための多芯端子である電源部・制御部接続ケーブル第２接続端子５２Ａを有し、前身頃開口部１１４を通って、電源部３Ａの電源部第１接続端子３１Ａと、制御部４Ａの制御部第１接続端子４３Ａと、を接続する。
なお、電源部・制御部接続ケーブル５Ａとしては、必ずしも多芯ケーブルを用いる必要はなく、例えばグランド線と信号線による２芯ケーブル等、上記の機能を果たすことが可能であれば、任意のケーブルを使用可能である。この場合、電源部第１接続端子３１Ａ及び制御部第１接続端子４３Ａについても、これに対応した端子とする必要がある。
【００８０】
（電源部・ファン接続ケーブル）
電源部・ファン接続ケーブル７は、電源部３Ａと、ファン２，２と、を接続するケーブルであり、２芯ケーブルが用いられる。電源部・ファン接続ケーブル７を通じて、電源部３Ａからファン２，２に対して、ファン２，２の稼働に必要な電力が供給される。
【００８１】
電源部・ファン接続ケーブル７は、図９に示すように、一方の端部に、電源部第２接続端子３２と接続するための２芯端子である電源部・ファン接続ケーブル第１接続端子７１を有し、他方の端部は二股に枝分かれし、夫々の端部に、ファン接続端子２１５，２１５と接続するための２芯端子である電源部・ファン接続ケーブル第２接続端子７２，７２を有し、電源部３Ａの電源部第２接続端子３２と、ファン２，２のファン接続端子２１５，２１５とを接続する。
なお、電源部・ファン接続ケーブル７としては、２芯ケーブルに限られず、上記の機能を果たすことが可能であれば、任意のケーブルを使用可能である。この場合、電源部第２接続端子３２及びファン接続端子２１５，２１５についても、これに対応した端子とする必要がある。
【００８２】
｛実施形態の効果｝
本実施形態によれば、第１実施形態と同様の効果に加えて、以下の効果を得ることができる。
【００８３】
本実施形態においては、第１実施形態と異なり、制御部４Ａには電力変換回路が備えられておらず、代わりに電源部３Ａに電力変換回路が備えられている。これによって、制御部４Ａに内蔵されている主要な回路は、電源部３Ａの電池の残量を測定する残量測定回路及び電源部３Ａに備えられた電力変換回路に強度を指示する強度指示回路のみであり、強度指示回路の指示が、電源部・制御部接続ケーブル５Ａを通じて、制御部４Ａから電源部３Ａに送られ、電源部３Ａにおいて電力の変換が行われることとなる。
そして、電源部３Ａとファン２，２とが直接接続され、変換された電力を、電源部３Ａがファン２，２に直接供給する。
【００８４】
したがって、制御部４Ａは、電力変換回路を内蔵しない分、小型・軽量化することが可能となり、服地部１１の前身頃の外側に備えられる制御部４Ａを小型・軽量化することで、空調衣服１００の着用者の負担を軽減するとともに、制御部が着用者の作業の妨げとなる可能性を低減することができる。
【００８５】
なお、本実施形態においては、電源部と制御部との間で双方向の通信を行うための手段として、電源部・制御部接続ケーブル５Ａを用いる場合について説明したが、電源部及び制御部の双方に無線通信用の通信手段を設けることにより、電源部と制御部とを無線通信で接続して使用することも可能である。この場合、制御部には独立して稼働するためのバッテリー等の電源手段が備えられる必要がある。
この場合、電源部と制御部との間を繋ぐケーブルがなくなるため、各機器を自由に配置でき、ケーブルが着用者の邪魔になることも防止できる。
【００８６】
［第３実施形態］
第３実施形態に係る空調衣服１００Ｂについて、図１０及び図１１に基づいて説明する。なお、第１実施形態に係る空調衣服１００と同一の部分については、同一の符号を付して説明を省略する。
【００８７】
｛実施形態の構成｝
第３実施形態に係る空調衣服１００Ｂは、図１１に示すように、独立した電力変換部８を備えたものである。
【００８８】
（制御部）
制御部４Ｂは、図１１に示すように、ファン２，２及び電源部３と有線接続されない。したがって、制御部第１接続端子４３及び制御部第２接続端子４４は備えられていない。
また、本実施形態においては、電力変換回路は電力変換部８に備えられるため、制御部４Ｂには備えられていない。
【００８９】
また、制御部４Ｂは、無線通信用の通信手段（不図示）を備え、無線通信によって電力変換部８と接続される。これによって、制御部４Ｂは、無線通信によって、電力変換部８に対して強度指示回路の指示を送信するとともに、電力変換部８から、電源部３の電池残量に関する情報を受信することとなる。なお、制御部４Ｂは、電源部と有線接続されないため、独立して稼働するためのバッテリー等の電源手段（不図示）が備えられている。
その余の構成は第１実施形態にかかる制御部４と同様である。
なお、制御部４Ｂと電力変換部８とが、接続ケーブルによって有線接続されるようにすることも可能である。
【００９０】
（電力変換部）
電力変換部８は、電力変換回路を備え、制御部４Ｂの強度指示回路の指示に応じて、電源部３から供給された電力を所定の強度に変換の上、ファン２，２に供給する。また、電源部３から受信した電池残量に関する情報を、制御部４Ｂに送信する。
【００９１】
電力変換部８には、電源部・電力変換部接続ケーブル９と接続するための端子である電力変換部第１接続端子８１と、電力変換部・ファン接続ケーブル１０と接続するための端子である電力変換部第２接続端子８２とが備えられている。また、制御部４Ｂとの無線通信を行うための通信手段（不図示）が備えられている。
【００９２】
電力変換部第１接続端子８１は電源部・電力変換部接続ケーブル９の電源部・電力変換部接続ケーブル第２接続端子９２に対応した端子である必要があり、本実施形態においては、２芯端子が用いられている。また、電力変換部第２接続端子８２は、電力変換部・ファン接続ケーブル１０の電力変換部・ファン接続ケーブル第１接続端子１０１に対応した端子である必要があり、本実施形態においては、２芯端子が用いられている。
なお、電力変換部第１接続端子８１と、電力変換部第２接続端子８２とは、差し間違い防止のため、異なる形状の端子とすることが望ましい。
【００９３】
電力変換部８は、図１０に示すように、服地部１１内側の所定の位置において、例えば服地部１１内側に備えられた電力変換部収納ポケット１７に収納される形で、服本体１に備えられる。また、電源部収納ポケット１５内に、電源部３と共に収納されるようにしてもよい。
なお、電力変換部８を服本体１に保持するための手段としては、必ずしもポケットを用いる必要はなく、電力変換部８を服本体１に着脱自在に保持することが可能であれば、任意の構成を使用することができる。また、例えばズボンのベルトに電力変換部８を取り付ける等の構成により、電力変換部８が服本体１に保持されないようにすることも可能である。
【００９４】
（電源部・電力変換部接続ケーブル）
電源部・電力変換部接続ケーブル９は、電源部３と電力変換部８とを接続するケーブルであり、２芯ケーブルが用いられる。電源部・電力変換部接続ケーブル９を通じて、電源部３から電力変換部８に対して、電力変換部８及びファン２，２の稼働に必要な電力が供給されると共に、電力変換部８から制御部４Ｂに送信されることとなる電池残量に関する情報が送信される。
【００９５】
電源部・電力変換部接続ケーブル９は、図１１に示すように、一方の端部に、電源部第１接続端子３１と接続するため電源部〜電力変換部接続ケーブル第１接続端子９１を有し、他方の端部に、電力変換部第１接続端子８１と接続するための電源部・電力変換部接続ケーブル第２接続端子９２を有し、電源部３の電源部第１接続端子３１と、電力変換部８の電力変換部第１接続端子８１と、を接続する。
なお、電源部・電力変換部接続ケーブル９としては、２芯ケーブルに限られず、上記の機能を果たすことが可能であれば、任意のケーブルを使用可能である。この場合、電源部第１接続端子３１及び電力変換部第１接続端子８１についても、これに対応した端子とする必要がある。
【００９６】
（電力変換部・ファン接続ケーブル）
電力変換部・ファン接続ケーブル１０は、電力変換部８とファン２，２とを接続するケーブルであり、２芯ケーブルが用いられる。電力変換部・ファン接続ケーブル１０を通じて、電力変換部８からファン２，２に対して、ファン２，２の稼働に必要な電力が供給される。
【００９７】
電力変換部・ファン接続ケーブル１０は、図１１に示すように、一方の端部に、電力変換部第２接続端子８２と接続するための２芯端子である電力変換部・ファン接続ケーブル第１接続端子１０１を有し、他方の端部は二股に枝分かれし、夫々の端部に、ファン接続端子２１５，２１５と接続するための２芯端子である電力変換部・ファン接続ケーブル第２接続端子１０２，１０２を有し、電力変換部８の電力変換部第２接続端子８２と、ファン２，２のファン接続端子２１５，２１５とを接続する。
なお、電力変換部・ファン接続ケーブル１０としては、２芯ケーブルに限られず、上記の機能を果たすことが可能であれば、任意のケーブルを使用可能である。この場合、電力変換部第２接続端子８２及びファン接続端子２１５，２１５についても、これに対応した端子とする必要がある。
【００９８】
｛実施形態の効果｝
本実施形態によれば、第１実施形態と同様の効果に加えて、以下の効果を得ることができる。
すなわち、第２実施形態と同様に制御部４Ｂを小型・軽量化でき、さらに電源部と電力変換回路が別個に形成されることによって、電源部の構成を簡易化し、電源部が大型かつ高価なものとなることも防止できる。
また、制御部４Ｂが電力変換部８と無線通信を行うようにした場合、制御部４Ｂと電力変換部８とをケーブルによって接続する必要がなくなり、各機器を自由に配置でき、ケーブルが着用者の邪魔になることも防止できる。
【００９９】
［変形例］
以下、上記実施形態の変形例について説明する。
【０１００】
｛変形例１｝
いずれの実施形態においても、前身頃開口部１１４及び制御部収納ポケット１４に代わって、図１２に示すように、服地部１１Ａの前身頃において、左右方向の切り込みとして形成された前身頃開口部１１４Ａと、これを覆う、覆い布１８と、を備えてもよい。
【０１０１】
（前身頃開口部）
前身頃開口部１１４Ａは、服地部１１Ａの前身頃において、図１２に示すように、左右方向の切り込みとして形成され、覆い布１８によって覆われている。
【０１０２】
（覆い布）
覆い布１８は、図１２及び図１３に示すように、略矩形状に形成されたシート状の部材であり、左右方向に前身頃開口部１１４Ａより長く形成され、左右方向及び下方向の縁部付近並びに前身頃開口部１１４Ａの僅かに下の部分において、服地部１１Ａに縫い付けられている。
これによって、図１３及び図１４に示すように、クリップ４６を用いて、覆い布１８を挟むことによって、制御部４、４Ａ又は４Ｂを、服地部１１Ａに固定することができる。
なお、覆い布１８を上下方向に小さく形成し、クリップ４６によって、覆い布１８及び服地部１１Ａの前身頃開口部１１４Ａ下方の縁部が挟まれるようにしてもよい。また、覆い布１８を備えず、クリップ４６によって、服地部１１Ａの前身頃開口部１１４Ａ下方の縁部のみが挟まれるようにすることも可能である。
【０１０３】
なお、この場合、制御部は、空間確保手段４５を備えずともよく、例えば、第１実施形態の変形例としては、図１５に示す制御部４Ｃを用いることができる。
【０１０４】
制御部４Ｃは、略直方体状の主部４Ｃａと、主部４Ｃａ下部に連なるように略直方体状に形成され、正面視において主部４Ｃａと比較して幅の狭い端子取付部４Ｃｂと、により構成されている。
端子取付部４Ｃｂの右側面には制御部第１接続端子４３が備えられ、端子取付部４Ｃｂの左側面には制御部第２接続端子４４が備えらており、電源部・制御部接続ケーブル５を端子取付部４Ｃｂの右側面に、制御部・ファン接続ケーブル６を端子取付部４Ｃｂの左側面に接続する。
【０１０５】
（前身頃開口部及び覆い布の作成手順）
前身頃開口部１１４Ａ及び覆い布１８の具体的作成手順について、制御部として制御部４Ｃを用い、制御部４Ｃの主部４Ｃａの左右方向の幅が２ｃｍの場合を例として説明する。
（１）  服地部１１Ａに、左右方向に３ｃｍの切り込みを入れ、前身頃開口部１１４Ａを形成する
（２）  服地部１１Ａと同じ材質の、上下方向２ｃｍ、左右方向４ｃｍの略矩形状のシート状の部材である覆い布１８を、前身頃開口部１１４Ａを覆うように配置する。
（３）  覆い布１８を、左右方向及び下方向の縁部付近並びに前身頃開口部１１４Ａの僅かに下の部分において、服地部１１Ａに縫い付ける。
【０１０６】
（制御部の取り付け手順）
次に制御部の取り付け手順について、制御部として制御部４Ｃを用いる場合を例として説明する。
（１）  覆い布１８の上端から、制御部４Ｃを、クリップ付のボールペンを胸ポケットに差し込むようにして、前身頃開口部１１４Ａを貫通して下部が服本体１Ａ内に至るように差し込む。
（２）  クリップ４６によって覆い布１８及び／又は服地部１１Ａを挟むようにして、制御部４Ｃを服本体１Ａに固定する。
（３）  服本体１Ａの内側から、電源部・制御部接続ケーブル５を制御部第１接続端子４３に接続し、制御部・ファン接続ケーブル６を制御部第２接続端子４４に接続する。
【０１０７】
（変形例１の効果）
本変形例においても、前面側からクリップ４６を押圧することによって、制御部４、４Ａ、４Ｂ又は４Ｃが前身頃開口部１１４Ａを貫通し、その大部分が覆い布１８の裏側及び服本体１Ａ内に位置するように備えられた状態のままで、スイッチ４２を操作することができる。これによって、外部から視認し難い状態で制御部４、４Ａ、４Ｂ又は４Ｃが服本体１Ａに取り付けられた状態のままでも、容易にスイッチ４２を操作することが可能となる。
【０１０８】
また、制御部４Ｃを服本体１Ａに取り付けた状態においても、図１６に示すように、制御部４Ｃの左右に空間が生じることとなる。したがって、制御部の後面側に空間確保手段としての壁部を設けずとも、いわば制御部４Ｃの前後方向の厚みそのものが空間確保手段として機能し、制御部４Ｃの左右の側面と、服地部１１Ａ及び覆い布１８との間に空気排出部が形成され、ここから空気を排出することが可能となる。
【０１０９】
｛変形例２｝
制御部を、前身頃開口部とは離れた位置において服本体に保持されるようにすることも可能である。
例えば、ケーブルを用いず無線通信によって他の機器と接続される制御部４Ｂを、クリップ４６によって、服本体外面側の襟等の所定の位置に固定してもよい。例えば、制御部４Ｂを襟の裏面側に、外部から視認し難い状態で装着する。この場合も、クリップ４６を押圧することで、制御部４Ｂが外部から視認し難い状態で装着されたままで、容易にスイッチ４２を操作することができる。
【０１１０】
｛その他の変形例｝
上記各実施形態においては、いずれも、本考案に係るコントロール装置を、空調衣服における制御部として用いる場合について説明したが、本考案に係るコントロール装置の用途はこれに限られず、無線又は有線によって本体と接続されるコントロール装置を要する、あらゆる機器に対して用いることができる。また、本体とコントロール装置とが一体化された機器に対して用いてもよい。
【符号の説明】
【０１１１】
１００、１００Ａ、１００Ｂ、１００Ｃ  空調衣服
１、１Ａ  服本体
１１４，１１４Ａ  前身頃開口部（開口部）
１４  制御部収納ポケット（ポケット）
２  ファン（空気導入手段）
３、３Ａ  電源部
４、４Ａ、４Ｂ、４Ｃ  制御部（コントロール装置）
４２  スイッチ
４６  クリップ
４６ａ  溝部
４６ｂ  操作部
４６ｃ  凸部
４７  凹部
【図１】
0003217435.tif 000003
【図２】
0003217435.tif 000004
【図３】
0003217435.tif 000005
【図４】
0003217435.tif 000006
【図５】
0003217435.tif 000007
【図６】
0003217435.tif 000008
【図７】
0003217435.tif 000009
【図８】
0003217435.tif 000010
【図９】
0003217435.tif 000011
【図１０】
0003217435.tif 000012
【図１１】
0003217435.tif 000013
【図１２】
0003217435.tif 000014
【図１３】
0003217435.tif 000015
【図１４】
0003217435.tif 000016
【図１５】
0003217435.tif 000017
【図１６】
0003217435.tif 000018